(57)【要約】筺体に設けられた操作ボタンや、タッチパネルディスプレイに表示された操作キーを視認できない状態でも、ユーザが容易に撮影の指示入力を行えるようにする。電子機器（１０）は、加速度センサー（１１）と、カメラ部（１２）と、加速度センサー（１１）から取得した測定データに基づいて、カメラ撮影の指示が入力されたことを検知する撮影指示入力受付部（１３）と、カメラ撮影の指示入力を検知した後の所定のタイミングで実行されるカメラ撮影の開始タイミングの到来を監視する撮影タイミング監視部（１４）と、を有し、カメラ部（１２）は、撮影タイミング監視部（１４）が開始タイミングになったと判断すると、それに応じて、カメラ撮影を実行する。
2015040809.tif 000002
【特許請求の範囲】
【請求項１】
加速度センサーと、  カメラ部と、  前記加速度センサーから取得した測定データに基づいて、カメラ撮影の指示が入力されたことを検知する撮影指示入力受付手段と、  前記カメラ撮影の指示入力を検知した後の所定のタイミングで実行される前記カメラ撮影の開始タイミングの到来を監視する撮影タイミング監視手段と、を有し、  前記カメラ部は、前記撮影タイミング監視手段が前記開始タイミングになったと判断すると、それに応じて、カメラ撮影を実行する電子機器。
【請求項２】
請求項１に記載の電子機器において、  前記撮影指示入力受付手段は、所定の方向の加速度が第１の値を超えるパターンを少なくとも含む第１の加速度パターンを、前記カメラ撮影の指示として検知する電子機器。
【請求項３】
請求項２に記載の電子機器において、  前記撮影タイミング監視手段は、前記加速度センサーから取得した測定データに基づいて、前記カメラ撮影の前記開始タイミングの到来を検知する電子機器。
【請求項４】
請求項３に記載の電子機器において、  前記撮影タイミング監視手段は、所定の方向の加速度が第２の値以下になるパターンを少なくとも含む第２の加速度パターンを、前記開始タイミングの到来として検知する電子機器。
【請求項５】
請求項４に記載の電子機器において、  前記撮影タイミング監視手段は、すべての方向の加速度が前記第２の値以下になるパターンを少なくとも含む前記第２の加速度パターンを、前記開始タイミングの到来として検知する電子機器。
【請求項６】
請求項２に記載の電子機器において、  前記撮影タイミング監視手段は、前記カメラ撮影の指示入力を検知してから所定の時間経過したタイミングを、前記開始タイミングの到来として検知する電子機器。
【請求項７】
加速度センサーと、  カメラ部と、を備えた電子機器のコンピュータが、  前記加速度センサーから取得した測定データに基づいて、カメラ撮影の指示が入力されたことを検知し、  前記カメラ撮影の指示入力を検知した後の所定のタイミングで実行される前記カメラ撮影の開始タイミングの到来を監視し、  前記開始タイミングの到来の監視において、前記開始タイミングになったと判断すると、それに応じて、カメラ撮影を実行する電子機器の制御方法。
【請求項８】
加速度センサーと、  カメラ部と、を備えた電子機器のコンピュータに、  前記加速度センサーから取得した測定データに基づいて、カメラ撮影の指示が入力されたことを検知する処理と、  前記カメラ撮影の指示入力を検知した後の所定のタイミングで実行される前記カメラ撮影の開始タイミングの到来を監視する処理と、  前記開始タイミングの到来を監視する処理おいて、前記開始タイミングになったと判断すると、それに応じて、カメラ撮影を実行する処理と、を実行させるプログラムを記録したコンピュータ読み取り可能な記憶媒体。
【請求項９】
請求項２に記載の電子機器において、  前記撮影指示入力受付手段は、所定の方向の加速度が少なくとも前記第１の値まで増大するパターンを少なくとも含む第１の加速度パターンを、前記カメラ撮影の指示として検知する電子機器
【請求項１０】
請求項４に記載の電子機器において、  前記撮影タイミング監視手段は、所定の方向の加速度が少なくとも前記第２の値まで減少するパターンを少なくとも含む第２の加速度パターンを、前記開始タイミングの到来として検知する電子機器。
【発明の詳細な説明】
【技術分野】
【０００１】  本発明は、電子機器、電子機器の制御方法及び記憶媒体に関する。
【背景技術】
【０００２】  特許文献１に、カメラ機能を備えた携帯端末が開示されている。当該携帯端末は、タッチパネルディスプレイにシャッターキー等の操作キーを表示し、ユーザによる当該操作キーに対するタッチ操作に応じて撮影処理を実行する。
【先行技術文献】
【特許文献】
【０００３】
【特許文献１】特開２０１３−１７２２８２号公報
【発明の概要】
【発明が解決しようとする課題】
【０００４】  本発明者は、カメラ機能を備えた電子機器において、以下のような新たな課題を見出した。【０００５】  筺体に設けられた操作ボタンや、タッチパネルディスプレイに表示された操作キーに対する操作を撮影の指示入力として受付ける電子機器の場合、これらの操作対象（操作ボタン、操作キー）を視認できない状態で撮影の指示入力を行うのが困難である。【０００６】  例えば、人ごみの中で電子機器を保持した手を目一杯伸ばして人ごみの先にある対象を撮影する場合や、電子機器を保持した手をわずかな隙間に挿入した状態で対象を撮影する場合などには、ユーザは撮影時に撮影対象を視認できない。このような場合、ユーザは、手探りや他の部品との位置関係等から操作対象の位置を推測し、操作対象に対する操作を行う必要がある。かかる場合、撮影の指示入力を行えなかったり、また、操作対象を探している間にシャッターチャンスを逃してしまったりという問題が発生し得る。即ち、このような問題が発生する場合、ユーザは思い通りのタイミングにて撮影の指示入力を行うことが困難である。なお、指を操作対象の位置に置いた状態で手を伸ばしたり、隙間に挿入したりすることは可能であるが、この場合、手や指の状態を固定する必要があり、ユーザの負担が大きい。【０００７】  本発明は、筺体に設けられた操作ボタンや、タッチパネルディスプレイに表示された操作キーを視認できない状態において、ユーザが容易に撮影の指示入力を行えるようにすることを主たる課題とする。特に、本発明は、ユーザが操作対象を視認しにくい状況において、当該ユーザによる撮影の指示入力に従って、所定のタイミングにて良好な撮影を実行可能とすることを主たる課題とする。
【課題を解決するための手段】
【０００８】  本発明によれば、加速度センサーと、カメラ部と、上記加速度センサーから取得した測定データに基づいて、カメラ撮影の指示が入力されたことを検知する撮影指示入力受付手段と、上記カメラ撮影の指示入力検知後の所定のタイミングで実行される上記カメラ撮影の開始タイミングの到来を監視する撮影タイミング監視手段と、を有し、上記カメラ部は、上記撮影タイミング監視手段が上記開始タイミングになったと判断すると、それに応じて、カメラ撮影を実行する電子機器が提供される。【０００９】  また、本発明によれば、加速度センサーと、カメラ部と、を備えた電子機器のコンピュータが、上記加速度センサーから取得した測定データに基づいて、カメラ撮影の指示が入力されたことを検知し、上記カメラ撮影の指示入力を検知した後の所定のタイミングで実行される上記カメラ撮影の開始タイミングの到来を監視し、上記開始タイミングの到来の監視において、上記開始タイミングになったと判断すると、それに応じて、カメラ撮影を実行する電子機器の制御方法が提供される。【００１０】  また、本発明によれば、加速度センサーと、カメラ部と、を備えた電子機器のコンピュータに、上記加速度センサーから取得した測定データに基づいて、カメラ撮影の指示が入力されたことを検知する処理と、上記カメラ撮影の指示入力を検知した後の所定のタイミングで実行される上記カメラ撮影の開始タイミングの到来を監視する処理と、上記開始タイミングの到来を監視する処理おいて、上記開始タイミングになったと判断すると、それに応じて、カメラ撮影を実行する処理と、を実行させるプログラムを記録したコンピュータ読み取り可能な記憶媒体が提供される。
【発明の効果】
【００１１】  本発明によれば、筺体に設けられた操作ボタンや、タッチパネルディスプレイに表示された操作キーを視認できない状態において、ユーザは容易に撮影の指示入力が可能になる。
【図面の簡単な説明】
【００１２】
【図１】本発明の実施形態における、電子機器のハードウエア構成の一例を概念的に示す図である。
【図２】本発明の実施形態における、電子機器の機能ブロック図の一例を示す図である。
【図３】本発明の実施形態における、電子機器に対してカメラ撮影の指示入力を行うユーザ操作の一例を示す模式図である。
【図４】本発明の実施形態における、電子機器に対してカメラ撮影の指示入力を行うユーザ操作の一例を示す模式図である。
【図５】本発明の実施形態における、電子機器の処理の流れの一例を示すフローチャートである。
【図６】所定の方向の加速度の時系列データの一例を模式的に示す図である。
【図７】所定の方向の加速度の時系列データの一例を模式的に示す図である。
【図８】所定の方向の加速度の時系列データの一例を模式的に示す図である。
【図９】所定の方向の加速度の時系列データの一例を模式的に示す図である。
【図１０】所定の方向の加速度の時系列データの一例を模式的に示す図である。
【発明を実施するための形態】
【００１３】  まず、本実施形態の電子機器のハードウエア構成の一例について説明する。
【００１４】  本実施形態の電子機器は、可搬型の装置である。本実施形態の電子機器が備える各部は、任意のコンピュータのＣＰＵ（Central Processing Unit）、メモリ、メモリにロードされたプログラム、そのプログラムを格納するハードディスク等の記憶ユニット、ネットワーク接続用インタフェイスを中心にハードウエアとソフトウエアの任意の組合せによって実現される。上記プログラムは、あらかじめ装置を出荷する段階からメモリ内に格納されているプログラムのほか、ＣＤ（Compact Disc）等の記憶媒体やインターネットに接続されたサーバ等からダウンロードされたプログラムも含む。そして、その実現方法、装置にはいろいろな変形例があることは、当業者には理解されるところである。
【００１５】  図１は、本実施形態の電子機器のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、加速度センサー８Ａ、カメラ部９Ａ等を有する。なお、図示しないが、その他、外部機器と有線で接続される入出力Ｉ／Ｆ（Ｉｎｔｅｒｆａｃｅ）、外部機器と有線及び／又は無線で通信するための通信部、マイク、スピーカ、補助記憶装置等の他の要素を備えてもよい。
【００１６】  ＣＰＵ１Ａは各要素とともに電子機器のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。
【００１７】  ディスプレイ５Ａは、表示装置（ＬＥＤ（Light Emitting Diode）表示器、液晶ディスプレイ、有機ＥＬ（Electro Luminescence）ディスプレイ等）を備える。なお、ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイなどを含む。
【００１８】  加速度センサー８Ａは所定軸方向の加速度を測定する。加速度センサー８Ａは、一軸方向の加速度を測定する一軸センサー、直交二軸方向の加速度を測定する二軸センサー、直交三軸方向の加速度を測定する三軸センサーのいずれであってもよい。また、加速度センサー８Ａは、上記に限らず、任意の軸に対する回転方向（回動方向）の加速度を測定するセンサーであってもよい。カメラ部９Ａは、少なくとも静止画像を撮影し、保存するように構成されている。
【００１９】  以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、本実施の形態を実現可能な構成は、物理的に分かれた構成であっても、論理的に分かれた構成であってもよい。
【００２０】  まず、本実施形態の概要について説明する。本発明者は、加速度センサーを用いて撮影の指示入力を受付ける電子機器を検討した。具体的には、本発明者は、電子機器の操作対象（操作ボタンやタッチパネルディスプレイ）以外の任意の位置を指でたたく操作や、電子機器を振る操作を、撮影の指示入力として受付ける電子機器を検討した。
【００２１】  このような電子機器の場合、ユーザは、操作対象（操作ボタンやタッチパネルディスプレイ）を視認できない状態でも、容易に撮影の指示入力を行うことができる。しかし、当該電子機器の場合、撮影の指示入力操作（電子機器をたたく操作や電子機器を振る操作）により、電子機器が動く。そして、当該指示入力をトリガとして撮影を行うと、電子機器が動いている状態で撮影が行なわれ、いわゆる「ブレ」の問題が発生し得る。本実施形態の電子機器は、加速度センサーを用いて撮影の指示入力を受付ける電子機器であり、当該課題を解決する手段を備える。以下、本実施形態の電子機器の構成を詳細に説明する。
【００２２】  図２に、本実施形態の電子機器１０の機能ブロック図の一例を示す。図示するように、電子機器１０は、加速度センサー１１と、カメラ部１２と、撮影指示入力受付部１３と、撮影タイミング監視部１４とを備える。
【００２３】  加速度センサー１１は、所定軸方向の加速度を測定する。加速度センサー１１は、１つの測定軸方向の加速度を測定する一軸センサー、２つの測定軸方向の加速度を測定する二軸センサー、３つの測定軸方向の加速度を測定する三軸センサーのいずれであってもよい。加速度センサー１１の構成は特段制限されず、あらゆる技術を採用することができる。加速度センサー１１が２軸又は３軸方向の加速度を測定する場合、これらのデータを利用して、さらに異なる方向の加速度を算出することができる。互いに異なる方向の加速度を表す時系列データ（レコード）は、時刻情報を用いてタイミングが同期される。即ち、互いに異なる方向の加速度を表す複数の時系列データ（即ち、複数のレコード）は、それぞれの方向の加速度を表す時系列データが測定された時刻に基づいて、当該複数の時系列データ（複数のレコード）の間で同期がとられる。より具体的には、例えば、各時系列データは、それぞれの方向の加速度が測定された時刻を表す時刻情報データと、当該時刻において測定された加速度を表すデータとを関連付けて保持することにより、他の時系列データとの間で同期をとることができる。なお、上記時刻情報データは、特定の時刻（時間）を表すデータであってもよい。また、上記時刻情報は、電子機器１０における特定のタイミング（例えば、ＣＰＵ（１Ａ）の動作クロックや、電子機器１０の処理開始からの経過時間等）を表すデータであってもよい。この場合、互いに異なる方向の加速度を表す時系列データ（レコード）は、それぞれの時系列データが保持する時刻情報データに基づいて同期される。より具体的には、例えば、互いに異なる方向の加速度を表す複数の時系列データから、時刻情報データ（の値）が同じである複数の時系列データを抽出することにより、当該複数の時系列データの間で同期がとられてもよい。
【００２４】  カメラ部１２は、少なくとも静止画像を撮影し、保存するように構成されている。
【００２５】  撮影指示入力受付部１３は、加速度センサー１１から取得した測定データ（測定軸方向の加速度の時系列データ）に基づいて、カメラ撮影の指示が入力されたことを検知する。例えば、撮影指示入力受付部１３は、電子機器１０がカメラ機能を起動しているカメラモードである場合、より詳細には、カメラモードの中の、撮影の指示入力を受付可能な撮影モードである場合に、加速度センサー１１から測定データを取得する。そして、撮影指示入力受付部１３は、カメラ撮影の指示入力がなされたことを検知する処理を実行する。なお、その他のモードの場合、撮影指示入力受付部１３は、当該検知する処理を実行しなくてもよい。撮影指示入力受付部１３は、リアルタイムに加速度センサー１１から測定データを取得し、カメラ撮影の指示が入力されたことを検知する。
【００２６】  ここで、撮影指示入力受付部１３は、所定の方向の加速度が所定の第１の値以上になるパターンを少なくとも含む第１の加速度パターンを、カメラ撮影の指示として検知することができる。なお、第１の値は特定の値には限定されず、適宜選択可能である。撮影指示入力受付部１３は、所定の方向の加速度が当該第１の値を超えるパターンを少なくとも含む第１の加速度パターンを、カメラ撮影の指示として検知してもよい。
【００２７】  例えば、撮影指示入力受付部１３は、測定データを利用して、所定の方向の加速度の時系列データを得る。そして、撮影指示入力受付部１３は、所定の方向の加速度の時系列データの中に第１の加速度パターンが含まれるか否かを監視する。
【００２８】  加速度センサー１１は、上記したように、複数の測定軸方向の加速度を測定可能なセンサーであってもよい。このため、上記所定の方向は、複数の方向から適宜選択してよい。例えば、所定の方向は、最も大きい加速度が測定された方向であってもよく、最も小さい加速度が測定された方向であってもよく、第１の値以上の加速度が測定された方向であってもよい。また、当該所定の方向は、１軸センサーである加速度センサー１１の測定方向であってもよいし、２軸センサーである加速度センサー１１の測定方向の中の１つ（大きい加速度が測定された方向又は小さい加速度が測定された方向）であってもよい。また、当該所定の方向は、３軸センサーである加速度センサー１１の測定方向の中の１つ（最も大きい加速度が測定された方向、最も小さい加速度が測定された方向、又は、中間の加速度が測定された方向）であってもよい。
【００２９】  第１の加速度パターンは、例えば、所定の方向の加速度が少なくとも一度、第１の値以上となるパターンであってもよい。このような第１の加速度パターンを入力するユーザ操作としては、例えば、図３に示すように電子機器１０の所定の位置を指でたたく操作や、図４に示すように電子機器１０を所定の方向に振る操作などが考えられる。
【００３０】  例えば、撮影指示入力受付部１３は、所定の方向の加速度の時系列データとして、図６に示すようなデータを得たとする。この場合、撮影指示入力受付部１３は、所定の方向の加速度が一度、第１の値以上となった（図６に図示する）Ａの時点（以下「時点Ａ」とする）において、第１の加速度パターンが発生した（すなわち、カメラ撮影の指示入力があった）と判断する。
【００３１】  第１の加速度パターンのその他の例としては、所定の方向の加速度が第１の値以上となった後、第１の値未満となり、その後、第１の値以上となるパターンであってもよい。なお、このような第１の加速度パターンは、１回目に第１の値以上となってから２回目に第１の値以上となるまでの時間間隔が所定の時間以下という条件をさらに含んでもよい。なお、係る所定の時間は、特定の値に限定されず、適宜選択可能な設定値としてよい。このような第１の加速度パターンを入力するユーザ操作としては、例えば、図３に示すように電子機器１０の所定の位置を指でたたく操作を２回繰り返す操作や、図４に示すように電子機器１０を所定の方向に振る操作を２回繰り返す操作などが考えられる。
【００３２】  例えば、撮影指示入力受付部１３は、所定の方向の加速度の時系列データとして、図７に示すようなデータを得たとする。この場合、撮影指示入力受付部１３は、所定の方向の加速度が第１の値以上となった後、第１の値未満となり、その後、第１の値以上となった（図７に図示する）時点Ａにおいて、第１の加速度パターンが発生したと判断する。すなわち、撮影指示入力受付部１３は、図７に図示する時点Ａにおいて、カメラ撮影の指示入力があったと判断する。
【００３３】  その他、上記各図に例示したように、第１の加速度パターンは、例えば、所定の方向の加速度が少なくとも上記第１の値まで増大するパターンであるととらえることも可能である。なお、上記例示はあくまで一例であり、第１の加速度パターンはその他のパターンであってもよい。撮影指示入力受付部１３は、第１の加速度パターンを示すデータをあらかじめ保持しており、当該データを利用することにより上記処理を実行することができる。
【００３４】  撮影タイミング監視部１４は、カメラ撮影の指示入力検知後の所定のタイミングで実行されるカメラ撮影の開始タイミングの到来を監視する。すなわち、本実施形態の場合、撮影指示入力受付部１３がカメラ撮影の指示入力を検知した後の所定のタイミングが、カメラ撮影の開始タイミングとなる。換言すると、撮影タイミング監視部１４は、撮影指示入力受付部１３がカメラ撮影の指示入力を検知した後の所定のタイミングであるカメラ撮影の開始タイミングを監視する。カメラ部１２は、撮影タイミング監視部１４が開始タイミングになったと判断すると、それに応じて、カメラ撮影を実行する。具体的には、カメラ部１２は、撮影タイミング監視部１４開始タイミングになったと判断すると、それに応じて、その時点でディスプレイに表示されている画像の静止画データ（保存可能なデータ）を生成してもよい。なお、カメラ部１２は、ディスプレイに表示されてるか否かによらず、カメラ部１２により撮影可能な領域を撮影した画像の静止画データを生成してもよい。
【００３５】  ここで、撮影タイミング監視部１４は、カメラ撮影の開始タイミングの到来を、加速度センサー１１から取得した測定データに基づいて検知することができる。
【００３６】  例えば、撮影タイミング監視部１４は、所定の方向の加速度が所定の第２の値以下になるパターンを少なくとも含む第２の加速度パターンを、開始タイミングの到来として検知することができる。係る第２の値は、特定の値に限定されず、適宜選択可能な値である。係る所定の方向は、上述した所定の方向と同様に、複数の方向から適宜選択した方向としてよい。この場合、第１の加速度パターンの所定の方向と、第２の加速度パターンの所定の方向は、同じ方向であってもよいし、異なる方向であってもよい。
【００３７】  なお、撮影タイミング監視部１４は、すべての方向（所定の方向）の加速度が第２の値以下になるパターンを少なくとも含む第２の加速度パターンを、開始タイミングの到来として検知してもよい。
【００３８】  例えば、撮影タイミング監視部１４は、リアルタイムに加速度センサー１１から測定データを取得する。そして、撮影タイミング監視部１４は、取得した測定データを利用して、所定の方向の加速度の時系列データを得る。その後、撮影タイミング監視部１４は、所定の方向の加速度の時系列データの中に第２の加速度パターンが含まれるか否かを監視する。
【００３９】  例えば、撮影タイミング監視部１４は、所定の方向の加速度の時系列データとして、図８に示すようなデータを得たとする。この例の場合、所定の方向の加速度が一度、第１の値以上になった時点である（図８に図示する）時点Ａが、カメラ撮影の指示入力があった時点として撮影指示入力受付部１３に検知された時点である。第２の加速度パターンが、所定の方向の加速度が一度、第２の値以下になるパターンである場合、撮影タイミング監視部１４は、（図８に図示する）Ｂの時点（以下、時点Ｂとする）を、開始タイミングの到来として検知することが可能である。
【００４０】  第２の加速度パターンのその他の例として、所定の方向の加速度が所定の第２の値以下になる状態が所定時間以上継続するパターンであってもよい。係る所定時間は、特定の値に限定されず、適宜選択可能な設定値としてよい。ここで、例えば、撮影タイミング監視部１４は、所定の方向の加速度の時系列データとして、図９に示すようなデータを得たとする。この例の場合、所定の方向の加速度が一度、第１の値以上になった時点である（図９に図示する）時点Ａが、カメラ撮影の指示入力があった時点として撮影指示入力受付部１３に検知された時点である。そして、本例の場合、撮影タイミング監視部１４は、加速度が第２の値以下である状態が所定時間ｔ１継続した時点である（図９に図示する）時点Ｂを、開始タイミングの到来として検知することが可能である。上記各図に例示したように、第２の加速度パターンは、例えば、所定の方向の加速度が少なくとも上記第２の値まで減少するパターンであるととらえることも可能である。
【００４１】  なお、撮影タイミング監視部１４は、カメラ撮影の開始タイミングの到来を、加速度センサー１１から取得した測定データを利用せずに検知することができる。例えば、撮影タイミング監視部１４は、カメラ撮影の指示入力検知から所定の時間経過したタイミングを、開始タイミングの到来として検知してもよい。係る所定の時間は、例えば、２秒としてもよいが、この値に限定されず適宜選択可能な設定値としてよい。例えば、撮影指示入力受付部１３は、図１０に示すような所定の方向の加速度の時系列データに基づいて、（図１０に図示する）時点Ａをカメラ撮影の指示入力があった時点と検知したとする。この場合、撮影タイミング監視部１４は、時点Ａから所定時間ｔ２経過した時点Ｂを、開始タイミングの到来として検知することが可能である。
【００４２】  次に、図５のフローチャートを用いて、本実施形態の電子機器１０の処理の流れの一例を説明する。
【００４３】  ユーザ操作に応じて撮影モードが起動すると（Ｓ１０）、ディスプレイに撮影対象の画像（プレビュー）が表示される。また、撮影モードが起動すると、撮影指示入力受付部１３は、加速度センサー１１から加速度データを取得し、取得した加速度データの解析を開始する（Ｓ２０）。例えば、撮影指示入力受付部１３は、撮影モードの間、加速度センサー１１の測定データを利用して所定の方向の加速度の時系列データを取得する。そして、撮影指示入力受付部１３は、当該時系列データの中に第１の加速度パターンが含まれているか否か監視を続ける。
【００４４】  上記解析の結果、撮影指示入力受付部１３が第１の加速度パターンを検知する（Ｓ３０）。この場合、撮影タイミング監視部１４は、カメラ撮影の指示入力検知後の所定のタイミングで実行されるカメラ撮影の開始タイミング到来の監視を開始する（Ｓ４０）。
【００４５】  上記監視の結果、撮影指示入力受付部１３が開始タイミング到来と判断する（Ｓ５０）。この場合、カメラ部１２は、それに応じて、その時点でディスプレイに表示されている画像の静止画データを生成する（Ｓ６０）。なお、カメラ部１２は、ディスプレイに表示されてるか否かによらず、カメラ部１２により撮影可能な領域を撮影した画像の静止画データを生成してもよい。
【００４６】  次に、本実施形態の作用効果について説明する。
【００４７】  本実施形態の電子機器１０は、加速度センサー１１を用いて撮影の指示入力を受付ける。例えば、電子機器１０は、電子機器１０の任意の位置を指でたたく操作や、電子機器１０を振る操作を、撮影の指示入力として受付けることができる。このため、ユーザは、操作対象（操作ボタンやタッチパネルディスプレイ）を視認できない状態でも、容易に撮影の指示入力を行うことができる。即ち、本実施形態の電子機器１０は、ユーザによる撮影の指示入力に応じた所定のタイミングにて、良好な撮影を実行可能である。
【００４８】  また、本実施形態の電子機器１０は、カメラ撮影の指示入力検知をトリガにしてその直後にカメラ撮影を行うのでなく、カメラ撮影の指示入力検知後の所定のタイミングでカメラ撮影を実行する。電子機器１０をたたく操作や振る操作を撮影の指示入力として受付ける場合、当該指示入力の操作により電子機器１０が動く。そして、指示入力検知をトリガにしてその直後にカメラ撮影を行うと、電子機器１０が動いている状態で撮影が行なわれ、いわゆる「ブレ」の問題が発生し得る。本実施形態の電子機器１０は、カメラ撮影の指示入力検知をトリガにしてその直後にカメラ撮影を行うのでなく、カメラ撮影の指示入力検知後の所定のタイミングでカメラ撮影を実行する。このため、本実施形態の電子機器１０は、このような不都合を軽減することができる。
【００４９】  また、本実施形態の電子機器１０は、第２の加速度パターン（所定の方向の加速度が所定の第２の値以下になるパターンを少なくとも含むパターン）を、開始タイミングの到来として検知する。例えば、第２の加速度パターンとして、所定の方向の加速度が所定の第２の値以下になる状態が所定時間以上継続するパターンを採用した場合、電子機器１０の所定の方向の加速度が第２の値以下に収束した後に撮影を行うことができる。結果、本実施形態の電子機器１０は、いわゆる「ブレ」の問題を軽減することができる。
【００５０】  また、本実施形態の電子機器１０は、カメラ撮影の指示入力検知から所定の時間経過したタイミングを、開始タイミングの到来として検知することができる。撮影時に電子機器１０が動いていると「ブレ」の問題が発生することは、広く知られている。このため、ユーザは、撮影時における電子機器１０の動きを小さくしようと試みる。しかし、ユーザによるこのような試みがあったとしても、上述のようなユーザ操作によるカメラ撮影の指示入力の直後は、電子機器１０が動いている可能性が高い。しかし、それから所定の時間が経過すると、電子機器１０の動きは、小さくなり得る。本実施形態では、カメラ撮影の指示入力検知から所定の時間経過したタイミングで撮影を実行することにより、いわゆる「ブレ」の問題を軽減することができる。
【００５１】  以下、参考形態の例を付記する。上述した実施形態及びその変形例の一部又は全部は、以下の付記のようにも記載されうる。しかしながら、上述した実施形態及びその変形例により例示的に説明した本発明は、以下には限られない。１．  加速度センサーと、  カメラ部と、  前記加速度センサーから取得した測定データに基づいて、カメラ撮影の指示が入力されたことを検知する撮影指示入力受付手段と、  前記カメラ撮影の指示入力検知後の所定のタイミングで実行される前記カメラ撮影の開始タイミングの到来を監視する撮影タイミング監視手段と、を有し、  前記カメラ部は、前記撮影タイミング監視手段が前記開始タイミングになったと判断すると、それに応じて、カメラ撮影を実行する電子機器。２．  １に記載の電子機器において、  前記撮影指示入力受付手段は、所定の方向の加速度が所定の第１の値以上になるパターンを少なくとも含む第１の加速度パターンを、前記カメラ撮影の指示として検知する電子機器。３．  ２に記載の電子機器において、  前記撮影タイミング監視手段は、前記加速度センサーから取得した測定データに基づいて、前記カメラ撮影の前記開始タイミングの到来を検知する電子機器。４．  ３に記載の電子機器において、  前記撮影タイミング監視手段は、所定の方向の加速度が所定の第２の値以下になるパターンを少なくとも含む第２の加速度パターンを、前記開始タイミングの到来として検知する電子機器。５．  ４に記載の電子機器において、  前記撮影タイミング監視手段は、すべての方向の加速度が前記第２の値以下になるパターンを少なくとも含む前記第２の加速度パターンを、前記開始タイミングの到来として検知する電子機器。６．  ２に記載の電子機器において、  前記撮影タイミング監視手段は、前記カメラ撮影の指示入力検知から所定の時間経過したタイミングを、前記開始タイミングの到来として検知する電子機器。７．  加速度センサーと、  カメラ部と、を備えた電子機器のコンピュータが、  前記加速度センサーから取得した測定データに基づいて、カメラ撮影の指示が入力されたことを検知する撮影指示入力受付工程と、  前記カメラ撮影の指示入力検知後の所定のタイミングで実行される前記カメラ撮影の開始タイミングの到来を監視する撮影タイミング監視工程と、  前記撮影タイミング監視工程で前記開始タイミングになったと判断すると、それに応じて、カメラ撮影を実行する工程と、を実行する電子機器の制御方法。７−２．  ７に記載の電子機器の制御方法において、  前記撮影指示入力受付工程では、所定の方向の加速度が所定の第１の値以上になるパターンを少なくとも含む第１の加速度パターンを、前記カメラ撮影の指示として検知する電子機器の制御方法。７−３．  ７−２に記載の電子機器の制御方法において、  前記撮影タイミング監視工程では、前記加速度センサーから取得した測定データに基づいて、前記カメラ撮影の前記開始タイミングの到来を検知する電子機器の制御方法。７−４．  ７−３に記載の電子機器の制御方法において、  前記撮影タイミング監視工程では、所定の方向の加速度が所定の第２の値以下になるパターンを少なくとも含む第２の加速度パターンを、前記開始タイミングの到来として検知する電子機器の制御方法。７−５．  ７−４に記載の電子機器の制御方法において、  前記撮影タイミング監視工程では、すべての方向の加速度が前記第２の値以下になるパターンを少なくとも含む前記第２の加速度パターンを、前記開始タイミングの到来として検知する電子機器の制御方法。７−６．  ７−２に記載の電子機器の制御方法において、  前記撮影タイミング監視工程では、前記カメラ撮影の指示入力検知から所定の時間経過したタイミングを、前記開始タイミングの到来として検知する電子機器の制御方法。８．  加速度センサーと、  カメラ部と、を備えた電子機器のコンピュータを、  前記加速度センサーから取得した測定データに基づいて、カメラ撮影の指示が入力されたことを検知する撮影指示入力受付手段、  前記カメラ撮影の指示入力検知後の所定のタイミングで実行される前記カメラ撮影の開始タイミングの到来を監視する撮影タイミング監視手段、  前期撮影タイミング監視手段が前記開始タイミングになったと判断すると、それに応じて、カメラ撮影を実行する手段、として機能させるためのプログラム。８−２．  ８に記載のプログラムにおいて、  前記撮影指示入力受付手段に、所定の方向の加速度が所定の第１の値以上になるパターンを少なくとも含む第１の加速度パターンを、前記カメラ撮影の指示として検知させるプログラム。８−３．  ８−２に記載のプログラムにおいて、  前記撮影タイミング監視手段に、前記加速度センサーから取得した測定データに基づいて、前記カメラ撮影の前記開始タイミングの到来を検知させるプログラム。８−４．  ８−３に記載のプログラムにおいて、  前記撮影タイミング監視手段に、所定の方向の加速度が所定の第２の値以下になるパターンを少なくとも含む第２の加速度パターンを、前記開始タイミングの到来として検知させるプログラム。８−５．  ８−４に記載のプログラムにおいて、  前記撮影タイミング監視手段に、すべての方向の加速度が前記第２の値以下になるパターンを少なくとも含む前記第２の加速度パターンを、前記開始タイミングの到来として検知させるプログラム。８−６．  ８−２に記載のプログラムにおいて、  前記撮影タイミング監視手段に、前記カメラ撮影の指示入力検知から所定の時間経過したタイミングを、前記開始タイミングの到来として検知させるプログラム。
【００５２】  以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００５３】  この出願は、２０１３年９月２０日に出願された日本出願特願２０１３−１９４９９５を基礎とする優先権を主張し、その開示の全てをここに取り込む。
【符号の説明】
【００５４】  １Ａ    ＣＰＵ  ２Ａ    ＲＡＭ  ３Ａ    ＲＯＭ  ４Ａ    表示制御部  ５Ａ    ディスプレイ  ６Ａ    操作受付部  ７Ａ    操作部  ８Ａ    加速度センサー  ９Ａ    カメラ部  １０Ａ    バス  １０    電子機器  １１    加速度センサー  １２    カメラ部  １３    撮影指示入力受付部  １４    撮影タイミング監視部
【図１】
2015040809.tif 000003
【図２】
2015040809.tif 000004
【図３】
2015040809.tif 000005
【図４】
2015040809.tif 000006
【図５】
2015040809.tif 000007
【図６】
2015040809.tif 000008
【図７】
2015040809.tif 000009
【図８】
2015040809.tif 000010
【図９】
2015040809.tif 000011
【図１０】
2015040809.tif 000012
【手続補正書】
【提出日】平成28年2月22日(2016.2.22)
【手続補正２】
【補正対象書類名】明細書
【補正対象項目名】０００１
【補正方法】変更
【補正の内容】
【０００１】
本発明は、電子機器、電子機器の制御方法及びプログラムに関する。
【手続補正３】
【補正対象書類名】明細書
【補正対象項目名】００１０
【補正方法】変更
【補正の内容】
【００１０】
また、本発明によれば、加速度センサーと、カメラ部と、を備えた電子機器のコンピュータに、上記加速度センサーから取得した測定データに基づいて、カメラ撮影の指示が入力されたことを検知する処理と、上記カメラ撮影の指示入力を検知した後の所定のタイミングで実行される上記カメラ撮影の開始タイミングの到来を監視する処理と、上記開始タイミングの到来を監視する処理において、上記開始タイミングになったと判断すると、それに応じて、カメラ撮影を実行する処理と、を実行させるプログラムが提供される。
【手続補正４】
【補正対象書類名】特許請求の範囲
【補正対象項目名】請求項８
【補正方法】変更
【補正の内容】
【請求項８】
加速度センサーと、
カメラ部と、を備えた電子機器のコンピュータに、
前記加速度センサーから取得した測定データに基づいて、カメラ撮影の指示が入力されたことを検知する処理と、
前記カメラ撮影の指示入力を検知した後の所定のタイミングで実行される前記カメラ撮影の開始タイミングの到来を監視する処理と、
前記開始タイミングの到来を監視する処理において、前記開始タイミングになったと判断すると、それに応じて、カメラ撮影を実行する処理と、を実行させるプログラム。
【国際調査報告】
2015040809.tif 000013
2015040809.tif 000014
2015040809.tif 000015
2015040809.tif 000016